(57)【要約】【課題】エッチング処理液として使用されるリン酸溶液内のリン酸濃度を精度良く計測し適切なリン酸溶液を提供することで、エッチング処理の精度向上、歩留まりの向上を図るとともにエッチング処理液の無駄を排除できる基板処理装置を提供する。【解決手段】リン酸、純水の供給を受けてエッチング処理液として使用されるリン酸溶液を生成するリン酸溶液浴槽１と、生成されたリン酸溶液の温度を維持したままリン酸溶液に含まれるリン酸の濃度をラマンスペクトル法を利用して計測するリン酸濃度計測部２と、リン酸溶液を使用してエッチング処理を行う処置部３と、各部の働きを制御するとともに、これら各部をつなぐ配管内のリン酸溶液を移動させる送液部１４の駆動や配管に設けられているバルブＶの開閉を制御する制御部４とを備える。【選択図】図１
2015195270.tif 000002
【特許請求の範囲】
【請求項１】
リン酸供給部と、純水供給部とからそれぞれリン酸、純水の供給を受けて、エッチング処理液として使用されるリン酸溶液を生成するリン酸溶液浴槽と、
生成された前記リン酸溶液の温度を維持したまま前記リン酸溶液に含まれる前記リン酸の濃度をラマンスペクトル法を利用して計測するリン酸濃度計測部と、
前記リン酸溶液を使用してエッチング処理を行う処置部と、
前記リン酸溶液浴槽と、前記リン酸濃度計測部と、前記処置部の働きを制御するとともに、これら各部をつなぐ配管内の前記リン酸溶液を移動させる送液部の駆動や前記配管に設けられているバルブの開閉を制御する制御部と、
を備えることを特徴とする基板処理装置。
【請求項２】
前記リン酸濃度計測部は、
前記循環路を流れる前記リン酸溶液に対してレーザ光を照射するレーザ照射部と、
前記レーザ照射部が前記リン酸溶液に対して照射した前記レーザ光の散乱光を受光するプローブと、
前記プローブで受光した前記散乱光を分光するラマン分光器と、
前記ラマン分光器で把握した前記リン酸溶液のスペクトルを解析し、前記リン酸溶液中の前記リン酸の濃度を計測するとともに、前記リン酸濃度計測部を構成する各部を制御する計測制御部と、
を備えることを特徴とする請求項１に記載の基板処理装置。  
【請求項３】
前記リン酸濃度計測部は、
前記循環路を流れる前記リン酸溶液に対してレーザ光を照射する第１のレーザ照射部と、
前記第１のレーザ照射部が前記リン酸溶液に対して照射した前記レーザ光の散乱光を受光する第１のプローブと、
前記第１のプローブで受光した前記散乱光を分光するラマン分光器と、
前記第１のプローブと前記ラマン分光器との間に設けられ、前記第１のプローブで受光した前記散乱光を前記ラマン分光器へ入射させるか否かを切り替える第１のシャッターと、
前記処置部に対して前記リン酸溶液を送液する配管を流れる前記リン酸溶液に対してレーザ光を照射する第２のレーザ照射部と、
前記第２のレーザ照射部が前記リン酸溶液に対して照射した前記レーザ光の散乱光を受光する第２のプローブと、
前記第２のプローブと前記ラマン分光器との間に設けられ、前記第２のプローブで受光した前記散乱光を前記ラマン分光器へ入射させるか否かを切り替える第２のシャッターと、
前記ラマン分光器で把握した前記リン酸溶液のスペクトルを解析し、前記リン酸溶液中の前記リン酸の濃度を計測するとともに、前記リン酸濃度計測部を構成する各部を制御する計測制御部と、
を備えることを特徴とする請求項１に記載の基板処理装置。  
【請求項４】
前記リン酸溶液が流れる配管において、前記リン酸濃度計測部が前記レーザ光を照射する領域を構成する第１の配管は、その他の領域を構成する第２の配管と異なる材質を使用していることを特徴とする請求項２または請求項３に記載の基板処理装置。
【請求項５】
前記第１の配管を構成する材質は、ポリプロピレンであることを特徴とする請求項４に記載の基板処理装置。
【請求項６】
前記第１の配管は、その外径が前記第２の配管の内径と接するように接続されていることを特徴とする請求項４または請求項５に記載の基板処理装置。
【請求項７】
前記第１の配管は、その内径が前記第２の配管の外径と接するように接続されていることを特徴とする請求項４または請求項５に記載の基板処理装置。
【請求項８】
前記レーザ照射部から照射される前記レーザ光の光路上であって前記レーザ光が照射される領域を含む前記リン酸溶液が流れる配管を覆う暗箱を備えていることを特徴とする請求項２ないし請求項７のいずれかに記載の基板処理装置。
【請求項９】
前記暗箱内であって、前記第１の配管に入射した前記レーザ光が出射し、前記レーザ光が照射される領域に鏡が設けられていることを特徴とする請求項８に記載の基板処理装置。
【請求項１０】
前記鏡は、前記配管に対してその取り付け角度が鋭角となるように取り付けられていることを特徴とする請求項９に記載の基板処理装置。
【請求項１１】
前記第１の配管が、その外径と前記第２の配管の内径とが接するように接続されている場合に、前記鏡の取り付け部は、前記第２の配管の端部に接するとともに、前記レーザ光が照射される位置に取り付けられることを特徴とするとする請求項９または請求項１０に記載の基板処理装置。
【請求項１２】
前記鏡は、その取り付け角度を変更可能とされていることを特徴とする請求項１１に記載の基板処理装置。
【請求項１３】
前記第１の配管が、その内径と前記第２の配管の外径とが接するように接続されている場合に、前記鏡の取り付け部は、前記第１の配管の端部に接するとともに、前記レーザ光が照射される位置に取り付けられることを特徴とするとする請求項９または請求項１０に記載の基板処理装置。
【請求項１４】
前記第１の配管が、その内径と前記第２の配管の外径とが接するように接続されている場合に、前記鏡の取り付け部は、前記第１の配管であって、前記第２の配管の端部に位置する場所で接するとともに、前記レーザ光が照射される位置に取り付けられることを特徴とするとする請求項９または請求項１０に記載の基板処理装置。
【請求項１５】
前記鏡は、その取り付け角度を変更可能とされていることを特徴とする請求項１３または請求項１４に記載の基板処理装置。
【発明の詳細な説明】
【技術分野】
【０００１】
本発明の実施形態は、基板処理装置に関する。
【背景技術】
【０００２】
半導体装置の一例である半導体デバイスを製造する工程において、半導体基板上にはエッチング対象膜となる窒化膜（例えば、Ｓｉ３Ｎ４膜）が塗布されている。この窒化膜に対して選択的にエッチングが行われる。
【０００３】
当該窒化膜に対するエッチングには、エッチング処理液として高温高濃度のリン酸（Ｈ３ＰＯ４）の溶液が使用される。当該リン酸溶液は、主要成分となるリン酸に、例えば純水を加えることで所望の希釈率となったエッチング処理液として生成される。
【０００４】
ここでリン酸用液中のリン酸の濃度を決定する方法として、例えば、以下の特許文献１に記載されている発明がある。特許文献１に記載されている発明は、混合液体の濃度の変化を比重として捉える発明である。混合液体が供給される筒状容器内に釣糸状の細い糸につり下げられたフロートを入れ、このフロートの浮力の変動をロードセルに伝え、電気的に比重を計測する。さらに、基準温度における換算比重が演算され、当該演算された比重を予め設定されている上限比重と下限比重と比較し、管理限界を外れた場合は警告する。
【０００５】
また、比重を利用した別の方法として、例えば、特許文献２に開示されている方法もある。特許文献２に記載されている発明は、リン酸溶液が供給された処理槽の重量（総重量）を基に、処理槽の自重との差を求める。この差がリン酸溶液の重量（液重量）であり、当該液重量をリン酸溶液の体積で除するとリン酸溶液の比重が算出できる。このリン酸溶液の比重は濃度を反映していることから、リン酸溶液の比重を算出することでリン酸溶液の濃度を得ることができる。
【先行技術文献】
【特許文献】
【０００６】
【特許文献１】特開２０００−０７４８１０号公報
【特許文献２】特開２０１３−１６８５６３号公報
【発明の概要】
【発明が解決しようとする課題】
【０００７】
しかしながら、上述した特許文献１、或いは、特許文献２に記載の発明では、以下のような不具合が生じ得る。
【０００８】
すなわち、例えば、特許文献１に記載の発明を実施する場合、混合液体の温度によっては機器の耐熱温度以下に冷却してから比重を計測する必要が出る可能性がある。特にリン酸溶液の場合、エッチング処理液として使用される際の温度は１６０℃前後の高温であるため、その可能性が一層高くなる。
【０００９】
また、上記特許文献１では、換算比重を演算する際の基準温度は２０℃であり、仮に高温のリン酸溶液を当該基準温度である２０℃まで温度を低下させてしまうと、リン酸溶液内に溶解している、例えばシリカが析出してしまう。シリカが析出すると、配管内に析出したシリカが溜まってしまい配管を詰まらせたり、パーティクル増加等のトラブルを招来することになり、肝心なエッチング処理液を処置部に供給することができなくなってしまう。
【００１０】
さらに、リン酸溶液の濃度を計測するためにリン酸溶液の温度を低下させると、当該温度変化によって液−液間の相互溶解度に変化を生ずる可能性があり、リン酸の濃度を計測する際には、実際の使用される際のリン酸溶液の液組成が担保されない可能性が考えられる。
【００１１】
また、特許文献２に記載の発明では、リン酸の濃度を得るためにリン酸溶液の比重を算出することが必要になるが、この比重算出にあたっては、処理槽の重量やリン酸溶液の重量を算出しなければならない。特に処理槽の重量を算出するに当たっては、当該重量を計測するためのロードセルを基板処理装置に組み込む必要がある。このように基板の処理を行う装置としては必須の構成要素ではない機器を組み込まなければならないとすると、基板処理装置の装置構成が大がかりになるとともに、設置の費用も増加する。
【００１２】
そして何よりエッチング処理液としてリン酸溶液が使用される場合、リン酸溶液の濃度や組成が変化してしまうと、エッチング処理が適切な制御の下、行われなくなってしまう。そのためには、エッチング処理液であるリン酸溶液内のリン酸の濃度を厳格に制御する必要がある。
【００１３】
本発明は上記課題を解決するためになされたものであり、本発明の目的は、エッチング処理液として使用されるリン酸溶液内のリン酸濃度を精度良く計測し適切なリン酸溶液を提供することによって、エッチング処理の精度向上、歩留まりの向上を図るとともに、エッチング処理液の無駄を排除することができる基板処理装置を提供することにある。
【課題を解決するための手段】
【００１４】
実施形態に係る基板処理装置は、リン酸供給部と、純水供給部とからそれぞれリン酸、純水の供給を受けて、エッチング処理液として使用されるリン酸溶液を生成するリン酸溶液浴槽と、生成されたリン酸溶液の温度を維持したままリン酸溶液に含まれるリン酸の濃度をラマンスペクトル法を利用して計測するリン酸濃度計測部と、リン酸溶液を使用してエッチング処理を行う処置部と、リン酸溶液浴槽と、リン酸濃度計測部と、処置部の働きを制御するとともに、これら各部をつなぐ配管内のリン酸溶液を移動させる送液部の駆動や配管に設けられているバルブの開閉を制御する制御部とを備える。
【発明の効果】
【００１５】
本発明によれば、エッチング処理液として使用されるリン酸溶液内のリン酸濃度を精度良く計測し適切なリン酸溶液を提供することによって、エッチング処理の精度向上、歩留まりの向上を図るとともに、エッチング処理液の無駄を排除することができる基板処理装置を提供することができる。
【図面の簡単な説明】
【００１６】
【図１】実施形態に係る基板処理装置の全体構成を示すブロック図である。
【図２】実施形態に係るエッチング処理液を生成し処置部に供給するまでの流れを示すフローチャートである。
【図３】実施形態に係るエッチング処理液を生成し処置部に供給するまでの流れの中で、リン酸溶液中のリン酸の濃度を計測する流れを示すフローチャートである。
【図４】リン酸用液中のリン酸の濃度を計測する際に用いるラマンスペクトル法について説明する際に使用するグラフである。
【図５】リン酸用液中のリン酸の濃度を計測する際に用いるラマンスペクトル法について説明する際に使用するグラフである。
【図６】リン酸用液中のリン酸の濃度を計測する際に用いるラマンスペクトル法について説明する際に使用するグラフである。
【図７】リン酸用液中のリン酸の濃度を計測する際に用いるラマンスペクトル法について説明する際に使用するグラフである。
【図８】実施形態に係る基板処理装置の別の全体構成を示すブロック図である。
【図９】実施形態に係るエッチング処理液を生成し処置部に供給するまでの流れの中で、リン酸溶液中のリン酸の濃度を計測する流れを示すフローチャートである。
【図１０】実施形態に係るリン酸濃度計測部の構成の詳細を示す模式図である。
【図１１】実施形態に係るリン酸濃度計測部がレーザ光を照射する領域における配管をポリプロピレンとした際の優位性を示すグラフである。
【図１２】実施形態に係るリン酸濃度計測部における外乱の排除について説明する模式図である。
【図１３】実施形態に係るリン酸濃度計測部において焦点距離を設定する際の根拠を示すグラフである。
【図１４】実施形態に係るリン酸濃度計測部の別の構成を示す模式図である。
【図１５】実施形態に係るリン酸濃度計測部の別の構成を示す模式図である。
【図１６】実施形態に係るリン酸の濃度とラマンスペクトルとの関係を示すグラフである。
【発明を実施するための形態】
【００１７】
以下、本発明の実施の形態について図面を参照して詳細に説明する。
【００１８】
図１は、実施形態に係る基板処理装置Ｓの全体構成を示すブロック図である。実施形態に係る基板処理装置Ｓは、大きくエッチング処理液であるリン酸溶液を生成するリン酸溶液浴槽１と、リン酸溶液中のリン酸の濃度を計測するリン酸濃度計測部２と、リン酸溶液を使用してエッチング処理を行う処置部３とから構成されている。
【００１９】
そしてこれら各部を制御するための制御部４が併せて設けられている。制御部４は、基板処理装置Ｓの全体を制御する。そのため、基板処理装置Ｓを構成する各部とは電気的に接続されており、制御部４と各部との間で信号のやり取りがなされることを可能としている。
【００２０】
なお、図面に示す制御部４からは各部との接続を示す矢印が上方へ１つ及び、リン酸濃度計測部２に対してのみ示されており、その他の各部とは接続されていないように示されているが、これはあくまでも図示の都合上このように示されているに過ぎず、実際には上述したように制御部４と基板処理装置Ｓを構成する各部とが電気的に接続されている。
【００２１】
リン酸溶液は、リン酸供給部１１から供給されるリン酸と、純水供給部１２から供給される純水がリン酸溶液浴槽１内で混ぜ合わせられることによって生成される。すなわち、リン酸溶液浴槽１は、リン酸溶液を生成する場所、或いは装置である。例えば、リン酸溶液浴槽１はタンクであり、図１において図示していないが、リン酸と純水とを混ぜ合わせるための機構を備えている。
【００２２】
リン酸溶液におけるリン酸の濃度は予め規定されている。そのため、当該規定に従った濃度のリン酸溶液を生成するべく、制御部４から各供給部に対してリン酸溶液浴槽１へ供給される量が指示される。具体的には、制御部４が、リン酸供給部１１とリン酸溶液浴槽１とをつなぐ配管に設けられている第１のバルブＶ１の開閉と純水供給部１２とリン酸溶液浴槽１とをつなぐ配管に設けられている第２のバルブＶ２の開閉とを制御することによって行われる。
【００２３】
また、生成されたリン酸溶液は、リン酸溶液浴槽１からリン酸溶液加熱部１３に送られて、エッチング処理に使用される際の温度を基に、約１６５℃前後の温度を維持するよう
に加熱される。加熱されたリン酸溶液は、リン酸溶液浴槽１とリン酸溶液加熱部１３との間をつなぐ循環路Ｃを介してリン酸溶液浴槽１へと戻る。すなわち、リン酸溶液は、リン酸溶液浴槽１を基点とする循環路Ｃ内を加熱循環している。
【００２４】
なお、循環路Ｃ内をリン酸溶液を循環させるべく、当該循環路Ｃには送液部１４が設けられている。この送液部１４は、いわばポンプであり、図１の循環路Ｃを構成する各部をつなぐ矢印の方向にリン酸溶液が流れるように循環させる。
【００２５】
リン酸溶液浴槽１において生成されたリン酸溶液は循環路Ｃ内を循環する間にリン酸溶液加熱部１３において予め設定されている温度となるまで、或いは、当該温度を維持するべく、加熱される。リン酸溶液をエッチング処理液として使用する際には、例えば、１６０℃の高温にしておく必要があるからである。
【００２６】
さらに、循環路Ｃにおける送液部１４とリン酸溶液浴槽１との間に第３のバルブＶ３が設けられており、送液部１４と処置部３との間をつなぐ配管Ｅには第４のバルブＶ４が設けられている。
【００２７】
リン酸溶液を循環路Ｃ内で循環させておく場合は、制御部４からの指示が第３のバルブＶ３に出され、第３のバルブＶ３は開放となる。一方この場合、制御部４は、送液部１４と処置部３とをつなぐ配管Ｅ上に設けられている第４のバルブＶ４を閉止とする制御を行う。制御部４によるこのような制御によって、生成されたリン酸溶液は循環路Ｃ内を循環する。
【００２８】
一方、リン酸溶液が生成され、所定の濃度、温度等、生成の条件を全て満たした場合には、処置部３において行われるエッチング処理に使用するため、リン酸溶液浴槽１から処置部３に生成されたリン酸溶液が供給される。この場合、制御部４は、第３のバルブＶ３を閉止とし、第４のバルブＶ４を開放とする制御を行い、リン酸溶液が循環路Ｃを循環せずに配管Ｅを通って処置部３に供給されるようにする。
【００２９】
なお、循環路Ｃにおいてリン酸溶液加熱部１３において加熱されたリン酸溶液がリン酸溶液浴槽１へと戻る経路上には、図１において図示していないが、リン酸溶液の温度を計測する機構が設けられていても良い。リン酸溶液の温度を計測する機構は、リン酸溶液加熱部１３において加熱されリン酸溶液浴槽１との間を循環しているリン酸溶液の温度が所定の温度を保持しているか否かを確認するべく、リン酸溶液の温度を計測する。計測されたリン酸溶液の温度は、制御部４へと送信される。制御部４では送信された温度情報を基に、例えば、リン酸溶液加熱部１３に対して加熱処理を行うように指示する。
【００３０】
なお、本発明の実施の形態においては、リン酸溶液を循環路Ｃ内を循環させる間に加熱し攪拌することを前提に説明を行う。すなわち、循環路Ｃ内をリン酸溶液が循環する間に、加熱され所定の温度が維持されるとともに、リン酸溶液を生成する上で混ぜ合わせるリン酸と純水とが攪拌され、設定通りのリン酸溶液が生成される。但し必ずしもこの構成を採用しなければならないわけではなく、例えば、リン酸溶液浴槽１自体が加熱機構や攪拌機構を備え設定された通りのリン酸溶液を生成することとしても良い。また、リン酸濃度計測部２やリン酸溶液温度計測部１５もリン酸溶液浴槽１に設けられている構成を採用しても良い。
【００３１】
さらに、送液部１４とリン酸溶液浴槽１とをつなぐ循環路Ｃの経路上には、リン酸濃度計測部２が設けられている。
【００３２】
リン酸濃度計測部２は、リン酸溶液中のリン酸の濃度を計測する。計測されたリン酸の
濃度に関する情報は、制御部４へと送信され、予め設定されている濃度となっているか、判断される。もし適切な濃度ではない場合は、制御部４は、リン酸供給部１１、或いは、純水供給部１２に対して指示を出し、適切な濃度のリン酸溶液が生成されるようにする。
【００３３】
本発明の実施の形態においては、リン酸濃度計測部２では、ラマンスペクトル法を利用してリン酸の濃度を計測する。従ってここでのリン酸濃度計測部２としては、ラマン散乱分光分析装置が採用される。計測方法としてラマンスペクトル法を採用することから、リン酸溶液浴槽１とリン酸溶液加熱部１３との間で循環している高温・高濃度のリン酸溶液内のリン酸の濃度を、非接触で略リアルタイムに計測することができる。
【００３４】
図１に示すように、リン酸濃度計測部２は、レーザ照射部２１と、プローブ２２と、ラマン分光器２３と、計測制御部２４とから構成されている。レーザ照射部２１は、循環路Ｃを循環しているリン酸溶液に対してレーザ光を照射する。プローブ２２は、レーザ照射部２１が循環路Ｃ内を流れるリン酸溶液に対して照射したレーザ光の散乱光を受光する。また、併せてプローブ２２は、レーザ照射部２１を保持する支持体としての役割を果たしている。
【００３５】
ラマン分光器２３は、プローブ２２で受光したリン酸溶液のレーザ光の散乱光を分光する。ラマン分光器２３でリン酸溶液の散乱光から把握されたスペクトルに関する情報は、計測制御部２４へ送信される。計測制御部２４は、スペクトルを解析し、リン酸溶液中のリン酸の濃度を算出する。併せて、計測制御部２４は、リン酸濃度計測部２を構成する各部を制御する。
【００３６】
なお、ラマンスペクトル法を用いてリン酸溶液中のリン酸の濃度を計測するリン酸濃度計測部２における各部の詳細な機能については、後述する。
【００３７】
処置部３は、シリコンウェハに対するエッチング処理を行う。リン酸濃度計測部２においてリン酸の濃度が計測されると、当該計測結果は、制御部４に送信される。制御部４では、受信した計測結果を基に、生成されたリン酸溶液をエッチング処理液として使用可能か判断する。リン酸の濃度がリン酸溶液中において予め設定されている濃度であることが確認された場合には、リン酸溶液浴槽１と処置部３とをつなぐ配管Ｅに設けられている第４のバルブＶ４を開放するよう指示し（この時第３のバルブＶ３は閉止となる）、送液部１４を介してリン酸溶液浴槽１から処置部５へリン酸溶液が供給される。
【００３８】
処置部３では供給されたリン酸溶液をエッチング処理液として使用し、シリコンウェハ上のＳｉＮ膜を選択的に除去するエッチング処理を行う。処置部３では、シリコンウェハ１枚１枚に対して個別にエッチング処理を行う、枚葉処理を行う。
【００３９】
処置部３において使用されたリン酸溶液は、ポンプＰ１によってリン酸溶液回収部１５に送液される。リン酸溶液回収部１５では、リン酸溶液を回収するための様々な処理が制御部４の指示に基づいて行われ、再利用が不可能なリン酸溶液については廃液処理となる。一方、再利用が可能なリン酸溶液は、ポンプＰ２によってリン酸溶液浴槽１に送られて循環路Ｃ内を循環する間に再度加熱され、エッチング処理液として再使用される。
【００４０】
なお、制御部４においてリン酸溶液中のリン酸の濃度が予め設定されている濃度と異なる場合には、制御部４は、第４のバルブＶ４を閉止してリン酸溶液浴槽１から処置部３へのリン酸溶液の供給を停止する。
【００４１】
次に、基板処理装置Ｓにおいてエッチング処理液であるリン酸溶液が生成されて処置部３へ供給され、エッチング処理が行われる大きな流れについて説明する。図２は、実施形
態に係るエッチング処理液を生成し処置部３に供給するまでの流れを示すフローチャートである。
【００４２】
まず、リン酸溶液浴槽１にリン酸供給部１１からリン酸が供給される。この際制御部４は必要量のリン酸がリン酸溶液浴槽１に供給されるように、第１のバルブＶ１の開閉を制御する。またリン酸溶液浴槽１に純水供給部１２から純水が供給される。この際制御部４は必要量の純水がリン酸溶液浴槽１に供給されるように、第２のバルブＶ２の開閉を制御する。このようにリン酸と純水が供給された後、リン酸溶液浴槽１においてエッチング処理液となるリン酸溶液が生成される（ＳＴ１）。
【００４３】
また、生成されたリン酸溶液は、エッチング処理の際には略１６０℃の高温の状態で使用されることから、循環路Ｃを循環させ、経路上に設けられているリン酸溶液加熱部１３にて設定されている温度まで加熱される（ＳＴ２）。このように加熱されたリン酸溶液は、循環路Ｃを循環する間保温される。なおリン酸溶液が循環路Ｃ内を循環している間は、第３のバルブＶ３が開放、第４のバルブＶ４が閉止となるよう、制御部４によって制御される。
【００４４】
循環路Ｃには、リン酸濃度計測部２が設けられている。リン酸濃度計測部２では、ラマンスペクトル法を用いて、リン酸溶液中のリン酸の濃度を計測する（ＳＴ３）。
【００４５】
ここで、ラマンスペクトル法を利用したリン酸の濃度の計測方法について、図３ないし図７を利用して以下、説明する。
【００４６】
図３は、実施形態に係るエッチング処理液を生成し処置部３に供給するまでの流れの中で、リン酸溶液中のリン酸の濃度を計測する流れを示すフローチャートである。また、図４ないし図７は、リン酸用液中のリン酸の濃度を計測する際に用いるラマンスペクトル法について説明する際に使用するグラフである。
【００４７】
まず、リン酸溶液中のリン酸の濃度を計測するに当たって、制御部４は、循環路Ｃ内を循環しているリン酸溶液の温度が所定の温度に維持されているか否かを確認する（ＳＴ２１）。上述したように、図１に示す基板処理装置Ｓには、循環しているリン酸溶液の温度を計測する装置は示されていないが、制御部４は図示しない温度計測部からのリン酸溶液の温度に関する情報を入手して、循環路Ｃ内を循環するリン酸溶液の温度が所定の温度に維持されるように制御する。
【００４８】
このように循環するリン酸溶液の温度が所定の温度に維持されるように制御するには、リン酸溶液中に含まれるリン酸の濃度を正確に計測するためである。すなわち、ここで計測の対象とするリン酸はオルトリン酸であるが、例えば、リン酸の組成が異なってしまいピロリン酸（二リン酸）やポリリン酸（三リン酸）となっても、リン酸溶液の温度が維持されていればいずれの組成のリン酸の濃度であっても計測することが可能となるからである。
【００４９】
また、例えば、処置部３においてエッチング処理が行われる際にリン酸溶液がエッチング処理液として使用され、その後リン酸溶液回収部１５において回収されると、当該回収されたリン酸溶液にはエッチング処理を行った基板の窒化膜（例えば、Ｓｉ３Ｎ４膜）のシリカ（Ｓｉ）がリン酸溶液中に溶解していることが考えられる。このような状態でリン酸溶液の温度が低下してしまうと、シリカの析出を招くことになる。そのため、例えばリン酸の濃度を計測するに当たってリン酸溶液の温度を低くする処理を行ってしまうと、シリカが析出してしまうことになる。また、そもそも基板のエッチング処理を行う際に、窒化膜のエッチング処理を向上させるためにリン酸溶液にシリカを添加することもある。こ
の場合はリン酸溶液の温度が低下することによるシリカの析出の可能性が高くなる。
【００５０】
従ってこのような現象を招来することを回避する必要があり、そのためには、生成されたリン酸溶液がエッチング処理液として処置部３に供給される温度（略１６０℃）を維持しつつリン酸の濃度を計測する必要がある。
【００５１】
そこで本発明の実施の形態においては、リン酸溶液にレーザ光を照射して作出される散乱光をラマンスペクトル法にて解析することで、リン酸溶液中のリン酸の濃度を計測することとしている。ラマンスペクトル法を利用することによって、リン酸溶液の温度を低くする処理を行う必要がなくなり、高温高濃度のままリン酸溶液中のリン酸の濃度を計測することができる。
【００５２】
制御部４が循環するリン酸溶液の温度が所定の温度に維持されていることを確認すると（ＳＴ２１のＹＥＳ）、リン酸濃度計測部２の計測制御部２４は、レーザ照射部２１にリン酸溶液に向けてレーザ光を照射するよう指示する（ＳＴ２２）。リン酸溶液にレーザ光を照射すると、散乱光が発生する。プローブ２２ではこの散乱光を受光する（ＳＴ２３）。ラマン分光器２３では、プローブ２２が受光した散乱光のスペクトルを計測する（ＳＴ２４）。
【００５３】
図４は、リン酸溶液中のリン酸の濃度ごとに現われるラマンスペクトルをグラフに示したものである。このグラフにおいて、縦軸に散乱強度［ｃｌｓ（classical least squares）］が示される。一方横軸には、ラマンスペクトルの振動数［ｃｍ−１］が示されている。
【００５４】
図４に示すグラフでは６種類の濃度の異なるリン酸に関するラマンスペクトルが線種を変えて示されている。このグラフを見ると、リン酸の濃度が０ｗｔ％の場合における散乱強度が最も小さく、リン酸の濃度が８５．５ｗｔ％の場合における散乱強度が最も大きく示されている。すなわち、リン酸溶液中のリン酸の濃度が濃くなれば濃くなる程、散乱強度が強くなることが理解できる。
【００５５】
またグラフ中において２つの四角で囲んだ領域における中心の振動数においては、リン酸の濃度に拘わらずいずれも散乱強度が強く発現している。左側の四角で囲まれた領域における中心の振動数が略４９０［ｃｍ−１］であり、右側の四角で囲まれた領域における中心の振動数が略９１０［ｃｍ−１］である。従って、これら２つの振動数において発現するスペクトルを利用すれば、リン酸溶液中のリン酸の濃度を把握することができると考えられる。
【００５６】
図５は、振動数が４９０［ｃｍ−１］の場合と９１０［ｃｍ−１］の場合を抜き出してリン酸の濃度ごとの散乱強度を示したグラフである。図５のグラフでは、縦軸に散乱強度、横軸にリン酸溶液中のリン酸の濃度が示されている。このグラフによると、いずれの振動数の場合もリン酸の濃度が高くなるに従って散乱強度が強くなり、特に８０ｗｔ％を超えると急激に散乱強度が強くなる。
【００５７】
また、図５に示すグラフからは２種類の振動数ごとの散乱強度が把握できるが、換言すれば、１つの散乱強度から２つのリン酸の濃度が把握されることになってしまい、リン酸溶液中のリン酸の濃度を算出するには適切ではない。
【００５８】
そこで、次に振動数が４９０［ｃｍ−１］の場合と９１０［ｃｍ−１］の場合の相関関係を検討してみる。図６は、振動数が４９０［ｃｍ−１］の場合と９１０［ｃｍ−１］の場合の相関関係を示すグラフである。このグラフでは、縦軸に振動数が９１０［ｃｍ−１
］の場合を、横軸に振動数が４９０［ｃｍ−１］の場合を示している。
【００５９】
このように両振動数の相関関係を見てみると、１次の直線で近似でき、決定係数Ｒ２も０．９６９５との値が示されていることから、両振動数には相関関係が存在するものと考えられる。
【００６０】
このことから、振動数４９０［ｃｍ−１］を分母とし、振動数９１０［ｃｍ−１］を分子とした相対散乱強度を求め、リン酸の濃度との関係を確認してみると、図７に示すグラフのように表わすことができる。
【００６１】
図７は、振動数４９０［ｃｍ−１］と９１０［ｃｍ−１］との相対散乱強度とリン酸の濃度との関係を示すグラフである。縦軸に振動数９１０［ｃｍ−１］を振動数４９０［ｃｍ−１］で除して算出される相対散乱強度を取り、横軸にリン酸の濃度を取る。すると、１次の直線で近似でき、決定係数Ｒ２も０．９８９２との値が示されていることから、両者には良好な相関関係が存在するものと考えられる。すなわち、振動数４９０［ｃｍ−１］と９１０［ｃｍ−１］との値から算出される相対散乱強度が把握できれば、リン酸の濃度も算出することができることになる。
【００６２】
ラマン分光器２３で計測されたスペクトルを基に、計測制御部２４では振動数４９０［ｃｍ−１］及び９１０［ｃｍ−１］のそれぞれの散乱強度を算出するとともに（ＳＴ２５）、両者の相対散乱強度も算出する（ＳＴ２６）。
【００６３】
そして予め求められている、例えば、図７に示すような振動数４９０［ｃｍ−１］と９１０［ｃｍ−１］との相対散乱強度とリン酸の濃度との関係（検量線データ）を基に、算出された相対散乱強度を比較する（ＳＴ２７）。図７のグラフからも分かるとおり、相対散乱強度とリン酸の濃度とは１対１の関係にあるので、相対散乱強度が算出されれば、リン酸溶液中のリン酸の濃度を算出することができる（ＳＴ２８）。
【００６４】
計測制御部２４では、算出されたリン酸の濃度に関するデータを制御部４に送信する（図２のＳＴ４）。制御部４では、リン酸濃度計測部２の計測制御部２４から送信されたリン酸溶液中のリン酸の濃度に関する情報を取得し、現在循環路Ｃ内を循環しているリン酸溶液中のリン酸の濃度が適切であるか否かを判断する（ＳＴ５）。
【００６５】
制御部４において、計測制御部２４から送信されたリン酸の濃度が適切であると判断された場合には（ＳＴ５のＹＥＳ）、生成されたリン酸溶液をエッチング処理液として使用することが可能となる（ＳＴ６）。そこで、制御部４はリン酸溶液浴槽１と処置部３とをつなぐ配管Ｅに設けられている第４のバルブＶ４を開放し、一方、循環路Ｃ内に設けられている第３のバルブＶ３を閉止することで、リン酸溶液浴槽１から処置部３へリン酸溶液の供給を行う（ＳＴ７）。処置部３では、供給されたリン酸溶液をエッチング処理液として使用し、エッチング処理を行う。
【００６６】
なお、ここではン酸溶液浴槽１から処置部３へリン酸溶液の供給を行うに当たって、リン酸溶液浴槽１と処置部３とをつなぐ配管Ｅに設けられている第４のバルブＶ４を開放し、循環路Ｃ内に設けられている第３のバルブＶ３を閉止する例を挙げたが、例えば、いずれのバルブも開放しておく制御も考えられる。すなわち、循環路Ｃ内を循環するリン酸溶液のリン酸の濃度を計測しつつ、処置部３へリン酸溶液を供給する場合である。この場合に異常が発生した場合には、第４のバルブＶ４を閉止して処置部３へのリン酸溶液の供給を停止する。
【００６７】
一方、リン酸の濃度について制御部４において確認した結果、適切な値となっていない
と判断した場合には（ＳＴ５のＮＯ）、生成されたリン酸溶液がエッチング処理液として使用するに不適である旨、基板処理装置Ｓの操作者に対して報知する（ＳＴ８）。併せて、配管Ｅの第４のバルブＶ４を閉止してこのようなリン酸溶液を処置部３へ供給することを停止する（ＳＴ９）。
【００６８】
または、未だ処置部３へリン酸溶液が供給されていない場合には、制御部４は、第４のバルブＶ４を閉止し第３のバルブＶ３を開放したままとし、リン酸溶液が処置部３に供給されないように制御する。リン酸の濃度が制御されていないリン酸溶液をエッチング処理液として使用すると、エッチング処理を制御することができず、歩留まりを悪化させることになるからである。
【００６９】
そして、このようなリン酸溶液は、エッチング処理液として使用することができないことから、再度リン酸溶液を生成するよう、制御部４は各部に指示を出す（ＳＴ１０）。基板処理装置Ｓでは、再びステップＳＴ１に戻り、リン酸溶液を再生成する。
【００７０】
なおこの他の対応として、例えば、操作者に対する報知を行わずにリン酸溶液を処置部３へ供給することを停止し、リン酸溶液を再生成することも考えられる。或いは、操作者へ報知した後、リン酸溶液を処置部３へ供給することを停止し、リン酸溶液を再生成することなく基板処理装置Ｓまで停止させてしまうことも考えられる。
【００７１】
以上、エッチング処理液を生成し処置部に供給するまでの流れ、及びリン酸溶液中のリン酸の濃度をラマンスペクトル法を用いて計測する方法について説明をした。
【００７２】
基板処理装置Ｓでは、リン酸溶液中のリン酸の濃度を計測するリン酸濃度計測部２は、循環路Ｃ内を循環するリン酸溶液を対象としてリン酸の濃度を計測している。但し、リン酸の濃度を計測する場所はこの１カ所に限定されることはない。例えば、第４のバルブＶ４が開放されてリン酸溶液浴槽１から処置部３へリン酸溶液が供給される際のリン酸の濃度を計測することも可能である。
【００７３】
図８は、実施形態に係る基板処理装置Ｓ１の別の全体構成を示すブロック図である。これまで説明してきた基板処理装置Ｓとの構成上の違いは、リン酸濃度計測部２Ａの構成である。基板処理装置Ｓ同様、循環路Ｃ内を循環するリン酸溶液のリン酸の濃度を計測するためにレーザ光を照射するのは、第１のレーザ照射部２１Ａである。また、レーザ光が照射されて発生する散乱光を受光するのは、第１のプローブ２２Ａである。
【００７４】
さらに、リン酸濃度計測部２Ａにおいては、リン酸溶液浴槽１と処置部３とをつなぐ配管Ｅ内を流れるリン酸溶液中のリン酸の濃度も計測することとしている。これは、循環路Ｃ内のリン酸溶液中のリン酸の濃度と、配管Ｅ内のリン酸溶液中のリン酸の濃度とをそれぞれ計測して比較することで、両者のリン酸溶液においてリン酸の濃度に差異がないことを確認するためである。すなわち、両者に差異が発見された場合、循環路Ｃ内のリン酸溶液中のリン酸の濃度に濃度不均一な状態があることを示している。
【００７５】
このように配管Ｅ内のリン酸溶液中のリン酸の濃度を計測するべく、図８に示す基板処理装置Ｓ１においては、リン酸濃度計測部２Ａ内にもう１組リン酸の濃度を計測する機器を設ける。配管Ｅ内のリン酸溶液に対しては、第２のレーザ照射部２１Ｂがレーザ光を照射する。また、第２のプローブ２２Ｂにおいてレーザ光が照射されて発生する散乱光を受光する。
【００７６】
さらに２カ所からリン酸溶液に照射したレーザ光の散乱光が帰ってくるため、いずれの配管を流れるリン酸溶液中のリン酸の濃度を計測しているか不明にならないように、それ
ぞれのプローブにはシャッターが設けられている。すなわち、第１のプローブ２２Ａには、第１のシャッター２５が接続されており、第２のプローブ２２Ｂには、第２のシャッター２６が接続されている。
【００７７】
計測制御部２４が第１のシャッター２５と第２のシャッター２６を、一方が開いている際には他方を閉めるという制御を適宜行うことによって、ラマン分光器２３に循環路Ｃ内を循環するリン酸溶液の散乱光、或いは、配管Ｅ内を流れるリン酸溶液の散乱光を入れることができる。
【００７８】
図９は、図８に示す基板処理装置Ｓ１において、実施形態に係るエッチング処理液を生成し処置部３に供給するまでの流れの中で、リン酸溶液中のリン酸の濃度を計測する流れを示すフローチャートである。循環路Ｃ内のリン酸溶液中のリン酸の濃度を計測する流れは、例えば、図２或いは、図３に示すフローチャートを利用して説明した通りである（ＳＴ１ないしＳＴ４）。
【００７９】
循環路Ｃ内のリン酸溶液中のリン酸の濃度を計測すると、その計測結果は制御部４に送信されてリン酸の濃度が適切であるか否かの判断が行われる（ＳＴ５）。その際、制御部４が受信した計測結果であるリン酸の濃度は記憶される（ＳＴ３１）。これは以下において説明する、配管Ｅ内を流れるリン酸の濃度が計測された際に両者の計測結果を比較する必要があるからである。
【００８０】
なお、図９に示すフローチャートでは、制御部４が循環路Ｃ内のリン酸溶液中のリン酸の濃度を受信した後、当該濃度が適切であるか否かを判断する前に記憶する流れで示しているが、制御部４が循環路Ｃ内のリン酸溶液中のリン酸の濃度を記憶する処理はこの流れに限定されるわけではない。
【００８１】
制御部４が循環路Ｃ内のリン酸溶液中のリン酸の濃度を受信し、当該濃度が適切であるか否か判断した結果、適切である場合には（ＳＴ５のＹＥＳ）、当該生成されたリン酸溶液はエッチング処理液としてエッチング処理に使用することができる（ＳＴ６）。そこで、制御部４は、第３のバルブＶ３を閉止し、第４のバルブＶ４を開放する制御を行い、リン酸溶液浴槽１から処置部３へリン酸溶液を供給する（ＳＴ７）。
【００８２】
第４のバルブＶ４が開放されると、送液部１４によって循環路Ｃから送り出されるリン酸溶液は、配管Ｅを通り処置部３へ送液される。そこで、この配管Ｅ内を流れるリン酸溶液のリン酸の濃度を計測するべく、リン酸濃度計測部２Ａの計測制御部２４は第２のレーザ照射部２１Ｂに対してレーザを照射するよう指示する。すなわち、ラマンスペクトル法を利用して、配管Ｅ内を流れるリン酸溶液のリン酸の濃度を計測する（ＳＴ３２）。なお、ラマンスペクトル法を利用してのリン酸濃度の計測の流れは、図３のフローチャートに示されている通りである。
【００８３】
第２のレーザ照射部２１Ｂが配管Ｅ内を流れるリン酸溶液に対してレーザ光を照射すると散乱光が発生する。発生した散乱光は第２のプローブ２２Ｂにおいて受光され、ラマン分光器２３において受光した散乱光のスペクトルを計測する。
【００８４】
なお、この際、図３に示すラマンスペクトル法を利用したリン酸の濃度を計測する流れを示すフローチャートには示されていないが、計測制御部２４は第１のプローブ２２Ａで受光したスペクトルをラマン分光器２３へと入れるのか、或いは、第２のプローブ２２Ｂで受光したスペクトルをラマン分光器２３へと入れるのかを判断し、第１のシャッター２５、或いは、第２のシャッター２６を適宜開閉する制御を行う。
【００８５】
第２のプローブ２２Ｂにおいて受光したスペクトルを解析した結果得られた、配管Ｅ内を流れるリン酸溶液のリン酸の濃度は、制御部４に送信される（ＳＴ３３）。これで制御部４には、循環路Ｃ内のリン酸溶液中のリン酸の濃度と配管Ｅ内のリン酸溶液中のリン酸の濃度とが集められたことになる。そこで制御部４では、両者の濃度を比較する（ＳＴ３４）。
【００８６】
比較の結果、差異がなければ（ＳＴ３５のＮＯ）、循環路Ｃ内を循環するリン酸溶液に濃度不均一な状態はなく、処置部３にリン酸溶液をエッチング処理液として供給することに何ら問題はない。そこで、ステップＳＴ７へ戻り、リン酸溶液を処置部３へ供給するｗよりを継続する。
【００８７】
一方、比較の結果差異があると認められる場合には（ＳＴ３５のＹＥＳ）、制御部４は、配管Ｅの第４のバルブＶ４を閉止するとともに第３のバルブＶ３を開放し、リン酸溶液浴槽１において、リン酸溶液の濃度を均一化する処理を行うよう制御する（ＳＴ３６）。上述したように、リン酸溶液浴槽１には、リン酸と純水とを混ぜ合わせるための機構が備えられていることから、例えば、当該機構を使用して循環路Ｃ内を循環するリン酸溶液の濃度が不均一とならないように処理を行う。
【００８８】
当該均一化の処理が行われた後、制御部４はリン酸溶液の濃度が均一化されたか否かを判断するべく、再度循環路Ｃ内を循環するリン酸溶液のリン酸の濃度と配管Ｅ内を流れるリン酸溶液のリン酸の濃度を計測し比較する（上述した、ＳＴ３ないしＳＴ３６）。
【００８９】
以上、ここでは、比較の結果差異があると認められる場合にはリン酸溶液の濃度を均一化する処理を行うことを説明した。但し、例えば、別の処理の流れも考えられる。
【００９０】
すなわち、比較の結果差異があると認められる場合には、一旦操作者に対して差異が生じている旨報知し、リン酸溶液を処置部３へ供給することを停止させる。この状態で、再度リン酸溶液を生成し、この再生成されたリン酸溶液を処置部３へ供給する。但し、あくまでも差異の有無を確認するためであり、処置部３内には基板を搬入しない状態とする。つまり処置部３へのリン酸溶液の供給はダミーということになる。リン酸溶液がダミーとはいえ処置部３へ供給されることになるため、ステップＳＴ３２で説明したように、第２のレーザ照射部２１Ｂが配管Ｅ内を流れるリン酸溶液に対してレーザ光を照射し、第２のプローブ２２Ｂが受光した散乱光のスペクトルをラマン分光器２３において計測する。
【００９１】
その結果、差異がなければ循環路Ｃ内を循環するリン酸溶液に濃度不均一な状態はなく、処置部３にリン酸溶液をエッチング処理液として供給することに問題はないことになるため、このままリン酸溶液を処置部３へ供給し、今度は基板も搬入してエッチング処理を行う。一方、制御部４によって再度差異が生じていると判断された場合には、操作者に対して報知する。
【００９２】
以上のような処理を行うのは、次の理由からである。すなわち、これまで説明した通り、リン酸溶液中のリン酸の濃度が適切でない限り、リン酸溶液浴槽１と処置部３とをつなぐ配管Ｅにはリン酸溶液が供給されない。従って、差異が生じているということは、配管Ｅ内にシリカやリン酸の結晶、或いは、不純物が析出している可能性があると考えることができる。つまり、リン酸溶液が配管Ｅに供給されない間に配管Ｅに滞留しているリン酸溶液の温度が低下し、例えば、レーザ光を照射する領域にシリカが析出している可能性が考えられるからである。
【００９３】
なおここでは詳細な説明を割愛するが、生成されたリン酸溶液の濃度が所定の濃度となっていない場合には（ＳＴ５のＮＯ）、その旨報知された後、当該リン酸溶液を処置部３
へ供給することを停止するとともに、再度リン酸溶液を生成することになる（ＳＴ８ないしＳＴ１０）。
【００９４】
次に、上述したような基板処理装置の構成に拘わらず、リン酸濃度計測部２、或いは、リン酸濃度計測部２Ａ（以下、これらをまとめて「リン酸濃度計測部２」と表わす）と計測対象となるリン酸用液が流れる配管との位置関係等、如何に外乱を回避し、リン酸の濃度を高い精度で計測するかについて説明する。
【００９５】
図１０は、実施形態に係るリン酸濃度計測部２の構成の詳細を示す模式図である。リン酸濃度計測部２の内部構成は、例えば、図１や図８に示す基板処理装置の全体構成図に示す通りであるが、本発明の実施の形態においてリン酸濃度計測部２を循環路Ｃ、或いは、配管Ｅに取り付けられる際には、図１０に示す構成が採用される。
【００９６】
リン酸濃度計測部２の配管への取り付け構成であるが、リン酸濃度計測部２を構成するレーザ照射部２１とプローブ２２が図の左側に示されている。もちろんこれらとラマン分光器２３、計測制御部２４とは電気的に接続されているが、図１０に示す取り付け構成においては、図示を省略している。
【００９７】
図の中央には、上下方向にリン酸溶液が流れる配管Ｇが示されている。図１０の矢印に示されているように、リン酸溶液は、当該配管Ｇを下から上に向けて上向きに流れる。リン酸溶液をこの向きに流すのは、配管Ｇ内をリン酸溶液が流れている際に、リン酸溶液内に気泡等が混入することを防ぐためである。
【００９８】
また配管Ｇを挟んでリン酸濃度計測部２と対向する位置には、鏡Ｍが設けられている。詳細は後述するが、リン酸溶液にレーザ光を照射することによって発生し得る様々な外乱となり得る光を逃がすために用いられる。
【００９９】
さらに配管Ｇ及び鏡Ｍを内部に収める暗箱Ｄが設けられている。暗箱Ｄは配管Ｇの周囲にある光を遮断し、その内部を暗くしておくことで、様々な光による外乱を排除してリン酸濃度の計測精度を向上させるために用いる。リン酸溶液に対してレーザ光を照射するリン酸濃度計測部２のレーザ照射部２１は、その設置に当たって当該暗箱Ｄに密着させて設置される。このように設置することで、レーザ照射部２１と暗箱Ｄとの接触領域から暗箱Ｄ内に侵入する光を排除することができる。
【０１００】
これまで説明してきた通り、当該配管Ｇ内を流れるリン酸溶液中のリン酸の濃度を、リン酸濃度計測部２において計測する。そのため配管Ｇ内のリン酸溶液に対してレーザ光を照射することになる。すなわち、レーザ照射部２１から照射されたレーザ光は、一点鎖線Ｘによって示される光軸に沿って照射される。
【０１０１】
但し、例えば、配管がテフロン（登録商標）系の配管材料を利用している場合等、配管Ｇの材質によっては適切な散乱光をリン酸濃度計測部２において受光することができず、結果として正確なリン酸の濃度を計測することができない場合も考えられる。そのためレーザ光が入射する領域のみ配管Ｇの材質を変更することで対応することも可能であるが、その際にはこれまで通り、高温のリン酸溶液が流れることを考慮した材料の選定も必要となる。
【０１０２】
そこで、本発明の実施の形態においては、配管Ｇにおいてレーザ光が入射する領域（以下、この領域を「領域Ｗ」と表わす）とその他の領域とに分けて、それぞれに異なった配管材料を使用して上記要求を満たすこととしている。
【０１０３】
配管Ｇは、２種類の部材から構成されている。レーザ照射部２１によってレーザ照射が
なされる領域Ｗは第１の配管Ｇ１で構成されており、その他の領域は第２の配管Ｇ２で構成されている。
【０１０４】
まず、第２の配管Ｇ２は、これまでと同様、テフロン（登録商標）系の材質を用いた配管が使用される。これは、現在採用されている材質であり、高温高濃度のリン酸溶液を流すに当たって適切な選択である。また、リン酸溶液が流れる配管の全てを、例えば、後述する第１の配管Ｇ１において採用する材質で置き換えるというのは、基板処理装置のコストの増大を招く等現実的ではない。むしろ、リン酸の濃度を計測する上ではリン酸溶液中のリン酸の濃度を計測する際にレーザ光を照射する領域Ｗのみを第１の配管Ｇ１に変更するだけで十分な効果を奏するものと考えられる。
【０１０５】
第１の配管Ｇ１には、例えば、配管材料としてポリプロピレン（polypropylene）を採用することができる。ポリプロピレンは、耐熱性に優れるため、高温高濃度のリン酸溶液を流す点について問題はない。また、ポリプロピレンはリン酸溶液中のリン酸の濃度を計測する上で必要となるラマンスペクトルを受光するに適した材質であるといえる。
【０１０６】
図１１は、実施形態に係るリン酸濃度計測部２がレーザ光を照射する領域Ｗにおける配管をポリプロピレンとした際の優位性を示すグラフである。図１１に示すグラフにおいて、縦軸には散乱強度が示されており、横軸には振動数が示されている。ここで比較したのは、第１の配管Ｇ１として採用するポリプロピレンの配管に水を流した場合、リン酸溶液を流した場合、及びテフロン（登録商標）系の材質（ＰＴＦＥ）からなる配管に水を流した場合の３つの場合である。
【０１０７】
まずポリプロピレンの配管に水を流した場合のラマンスペクトル（符号Ｊで示す濃い実線）をみると、振動数が３００［ｃｍ−１］ないし１３００［ｃｍ−１］においてほぼ変化が生じることがないことがわかる。一方、同じポリプロピレンの配管にリン酸溶液を流した場合のラマンスペクトル（符号Ｋで示す破線）は、略４９０［ｃｍ−１］、略９１０［ｃｍ−１］の領域で非常に顕著な散乱強度を示している。この特徴はこれまで例えば図４に示すグラフを用いて説明した場合と同じ特徴を示している。従って、ポリプロピレンの配管にリン酸溶液を流してリン酸溶液中のリン酸の濃度を計測することは可能であることが理解できる。
【０１０８】
一方、ＰＴＦＥの配管に水を流した場合のラマンスペクトル（符号Ｌで示す薄い実線）であるが、ポリプロピレンの配管にリン酸溶液を流した場合と全く趣が異なるグラフとなって現われている。例えば、略４９０［ｃｍ−１］の部分ではいずれも突起（角）として散乱強度が現われているが、略９１０［ｃｍ−１］の部分では、ポリプロピレンの配管にリン酸溶液を流した場合とは逆に低い散乱強度に留まる。むしろ、略９１０［ｃｍ−１］を含む両側の振動数（略８５０［ｃｍ−１］、略９５０［ｃｍ−１］）において比較的強い散乱強度が記録され、ポリプロピレンの配管にリン酸溶液を流した場合のラマンスペクトルと顕著な違いを示している。
【０１０９】
図１１に示すグラフからすれば、リン酸溶液中のリン酸の濃度を計測するに当たっては、レーザ光が照射される領域Ｗには通常の配管材料であるＰＴＦＥの配管ではなく、ポリプロピレンの配管を採用することが好ましい。ポリプロピレンの配管を介してリン酸溶液にレーザ光を照射することで良好なラマンスペクトルを入手することができる。
【０１１０】
一方、領域Ｗ以外の領域における配管、すなわち、第２の配管Ｇ２においては特にレーザ光が照射されることもないことから、領域Ｗを形成する第１の配管Ｇ１のようにその材質としてポリプロピレンを採用する必然性は少なく、これまで通りＰＴＦＥの配管を採用すれば足りる。
【０１１１】
そこで、本発明の実施の形態においては、図１０に示すように、領域Ｗを形成する第１の配管Ｇ１（破線のハッチングで示されている）の材質としてポリプロピレンを採用し、領域Ｗ以外の領域における第２の配管Ｇ２の材質としてテフロン（登録商標）系の材質が採用される。
【０１１２】
次に、リン酸の濃度を計測するためにリン酸溶液に対してレーザ光を照射したことによって発生する散乱光に影響を与える外乱に対する対処について説明する。図１２は、実施形態に係るリン酸濃度計測部における外乱の排除について説明する模式図である。
【０１１３】
上述したようにレーザ照射部２１から照射されたレーザ光は光軸Ｘに沿って第１の配管Ｇ１内に入射する。領域Ｗに設けられている第１の配管Ｇ１のうち、レーザ光が入射する第１の配管Ｇ１Ａにレーザ光が当たると拡散して、破線Ｙで示す領域に拡散することになる。暗箱Ｄ内には、鏡Ｍが設けられており、第１の配管Ｇ１を透過して入射したレーザ光は鏡Ｍに反射して図１２に示す実線の矢印の方向に出射する。
【０１１４】
例えば、第１の配管Ｇ１Ａに入射したレーザ光Ｙ１は鏡Ｍに反射すると、実線の矢印ｙ１の方向に出射する。また、光軸Ｘに沿って入射したレーザ光は、実線の矢印ｘ１の方向に出射する。第１の配管Ｇ１Ａに入射したレーザ光Ｙ２は鏡Ｍに反射すると、一旦暗箱Ｄ内の壁に反射して実線の矢印ｙ２の方向に出射することになる。
【０１１５】
上述したように、レーザ光をリン酸溶液に照射して発生する散乱光をプローブ２２で受光し、ラマンスペクトルを得ることでリン酸溶液中のリン酸の濃度を計測する。しかし、例えば、レーザ光Ｙ１，Ｙ２、或いは、Ｘ１が配管のいずれかの箇所に反射して散乱光となり、当該散乱光をプローブ２２が受光してしまうと、リン酸の濃度を正確に計測することが困難となってしまう。この意味でレーザ光Ｙ１，Ｙ２、及び、Ｘ１はリン酸の濃度を計測するに不要な外乱であり、この外乱をできるだけ排除することでリン酸濃度の計測精度も向上する。
【０１１６】
そこで、本発明の実施の形態においては、暗箱Ｄ内に鏡Ｍを設け、外乱となる光を散乱光としてプローブ２２が受光しない向きに向けて出射させることでリン酸濃度の計測精度を向上させることとしている。
【０１１７】
また、外乱の排除という観点から、リン酸溶液にレーザ光を照射する際の焦点もできるだけ流れているリン酸溶液のうち第１の配管Ｇ１の概ね中央となるようにレーザ照射部２１の位置を設定する。具体的には、レーザ光の焦点Ｆを第１の配管Ｇ１の概ね中央に設定するよう、第１の配管Ｇ１Ａとレーザ照射部２１との距離を適宜調整する。
【０１１８】
図１３は、実施形態に係るリン酸濃度計測部２において焦点距離ＷＤを設定する際の根拠を示すグラフである。図１３に示すグラフにおいて、縦軸には、振動数４９０［ｃｍ−１］と９１０［ｃｍ−１］との相対散乱強度が示されている。一方横軸にはレーザ照射部２１から焦点Ｆまでの距離（焦点距離）ＷＤを示している。また、このグラフに示されている実験結果は、ポリプロピレンの配管にリン酸溶液を流し、これまで説明してきたリン酸の濃度を計測する方法でリン酸溶液のスペクトルを計測して得られたものである。
【０１１９】
図１３に示すグラフには、２つの実線で示される線が表わされており、グラフの上方、大きく山形で示される線が相対散乱強度を示している。このグラフによると、焦点距離ＷＤが７ｍｍ強となる距離に向けて次第に相対散乱強度が強くなっていき、この距離を超えると大きく相対散乱強度が弱くなる。
【０１２０】
一方、この相対散乱強度を示す線の下に示されている線は、相対散乱強度を２次微分し
て示したものである。２次微分で示される線をみると、傾きが正負で変化する変曲点が上述した焦点距離ＷＤが７ｍｍ強となる距離において現われている。
【０１２１】
但し、発明者が別途行った、第２の配管Ｇ２の配管材料として利用されているテフロン（登録商標）系の配管内にリン酸溶液を流してリン酸溶液中のリン酸の濃度を計測する実験の結果からはこの焦点距離ＷＤを７ｍｍ強とするのは好ましくない可能性が考えられる。すなわち、レーザ照射部２１から配管内のリン酸溶液にレーザ光を照射した場合、配管を構成する材料からの散乱光も当然発生する。発明者が行った実験によれば、焦点距離ＷＤを７ｍｍ強の位置にレーザ照射部２１を設置してレーザ光を照射した場合、相対散乱強度が最も強くなるのは、配管を構成する材料からの散乱光が受光されたからとの推論が成り立つ可能性があるとの結論に達した。
【０１２２】
この点を考慮すると、このような結論を得た実験結果と類似する相対散乱強度の動きを示す図１３のグラフにおいて、符号Ｑで示される焦点距離ＷＤを７ｍｍを含む領域における相対散乱強度は、配管材料であるポリプロピレンにレーザ光が反射し散乱光として受光されて得られたものであると考えられる。
【０１２３】
一方、２次微分で示される線をみた場合、傾きが正負で変化する変曲点は上述した焦点距離ＷＤが７ｍｍ強となる距離のみならず、焦点距離ＷＤが３ｍｍから５ｍｍとなる距離においても現われていることが把握できる。この符号Ｒで示される領域では、符号Ｑで示される領域に比べれば相対散乱強度は弱いものの、逆に配管材料であるポリプロピレンからの散乱光の影響が少ないと考えられる。
【０１２４】
以上、図１３に示すグラフを検討した結果、例えば、第１の配管Ｇ１Ａとレーザ照射部２１との距離は、３ｍｍないし５ｍｍの距離とすることが好ましいと考えられる。なお、この結果はあくまでも実験に基づいて得られた結果であり、実際の基板処理装置Ｓにおいて計測対象となるリン酸溶液が流れる配管に対してリン酸濃度計測部２を取り付ける場合には適宜調整が必要となることは当然である。
【０１２５】
また、実施形態に係るリン酸濃度計測部の構成として、暗箱Ｄを設置している。暗箱Ｄの設置位置は上述したような位置であるが、これはリン酸溶液中のリン酸の濃度を計測するべく照射されるレーザ光によって生ずる散乱光以外の光が外乱として発生し、リン酸濃度計測部２に入ることを防止するためである。
【０１２６】
リン酸溶液が流れる配管を備える基板処理装置Ｓは、通常工場内に設置されていることから、特に暗いということもなく、例えば、天井には蛍光灯が点灯しているような環境にある。このような環境の下、暗箱Ｄを設置することなく配管内を流れるリン酸溶液中のリン酸の濃度を計測することとすると、照射されたレーザ光の散乱光のみならず、基板処理装置の各部に反射する蛍光灯等の様々な光の散乱光の影響が大きく出ることになる。このような環境でリン酸の濃度を計測しても正確なリン酸の濃度を計測することは難しく、その精度は低いと考えられる。
【０１２７】
そこで、本発明の実施の形態においては、レーザ光を照射するレーザ照射部２１を暗箱Ｄに密着させて照射されるレーザ光が散乱することを回避し、また外乱である計測場所が受ける様々な光を遮断するべく、暗箱Ｄを用いている。
【０１２８】
なお、本発明の実施の形態を説明する際に利用する図１０等の図面においては、レーザ照射部２１が暗箱Ｄに接触した状態であるが、例えば、レーザ照射部２１自体を暗箱Ｄ内に含めてしまうように暗箱Ｄを設置することも可能である。
【０１２９】
図１４は、実施形態に係るリン酸濃度計測部２の別の構成を示す模式図である。図１４に示すリン酸濃度計測部２Ｘは、暗箱Ｄ内に配管及び鏡Ｍ１が含まれている点ではこれまでの構成と同じである。但し、１点、図１０を用いて説明したリン酸濃度計測部２の構成と異なる点が設けられている。
【０１３０】
この相違点は、レーザ光が入射する領域Ｗにおける第１の配管Ｇ１と第２の配管Ｇ２の構成に関してである。ポリプロピレンで形成される第１の配管Ｇ１は、例えば図１０に示す配管Ｇでは、第２の配管Ｇ２の内部に設けられていた。すなわち、第１の配管Ｇ１の外径が第２の配管Ｇ２の内径に接するように形成されている。
【０１３１】
一方、図１４に示すリン酸濃度計測部２Ｘにおいては、第１の配管Ｇ１は、第２の配管Ｇ２の外側に設けられ、第１の配管Ｇ１の内径が第２の配管Ｇ２の外径に接するように形成されている。このように第１の配管Ｇ１を既存の配管である第２の配管Ｇ２の外側に設ける（以下、このような構成を適宜「外継ぎ」と表わす）ことで、より簡便に既存の配管に暗箱Ｄを備えるリン酸濃度計測部を設けることが可能となる。
【０１３２】
また、第１の配管Ｇ１が第２の配管Ｇ２に対して外継ぎとなっていることから、暗箱Ｄ内に設けられる鏡Ｍ１の取り付け位置も図１０に示すリン酸濃度計測部２とは異なる。図１０に示すリン酸濃度計測部２では、第２の配管Ｇ２の端部に鏡Ｍの一端部が取り付けられているが、図１４に示すリン酸濃度計測部２Ｘにおいては、鏡Ｍ１の一端部は外継ぎとなる第１の配管Ｇ１Ｂであって、第２の配管Ｇ２の端部の位置に取り付けられている。
【０１３３】
さらに、図１５は、実施形態に係るリン酸濃度計測部２の別の構成を示す模式図である。図１５に示すリン酸濃度計測部２Ｙの基本的な構成は図１４に示すリン酸濃度計測部２Ｘの構成と同様である。すなわち、第１の配管Ｇ１は第２の配管Ｇ２の外側に設けられており、配管Ｇとしては外継ぎとなる。
【０１３４】
一方、鏡Ｍ２の接続箇所等が図１４に示すリン酸濃度計測部２Ｘの構成とは異なる。すなわち、リン酸濃度計測部２Ｘでは、鏡Ｍ１はその一端部が外継ぎとなる第１の配管Ｇ１Ｂであって、第２の配管Ｇ２の端部の位置に取り付けられているが（図１４に示す破線の矢印参照）、リン酸濃度計測部２Ｙにおける鏡Ｍ２は、第１の配管Ｇ１Ｂの端部に設けられている（図１５に示す実線の矢印参照）。第１の配管Ｇ１は、上述したように、ポリプロピレンで形成されている。ここに、例えば、入射側に設けられている第１の配管Ｇ１Ａからリン酸溶液に対してレーザ光が照射されると、出射側の第１の配管Ｇ１Ｂから暗箱内部にレーザ光が出射される。この際第１の配管Ｇ１Ｂをレーザ光が出射する時にポリプロピレン内部をレーザ光が散乱する。そして散乱したレーザ光は、第１の配管Ｇ１Ｂの端部から暗箱内に出射することになる。
【０１３５】
そこで鏡Ｍ２を第１の配管Ｇ１Ｂの端部にその端部を配置するように設けることによって、ポリプロピレンで形成される第１の配管Ｇ１Ｂ内を散乱するレーザ光も漏れなく鏡Ｍ２を介して一定方向に逃がすことで、外乱の排除を徹底する。
【０１３６】
また、リン酸濃度計測部２Ｙを構成する鏡Ｍ２は、その取り付け角度を変更することができるように鏡可動部Ｈを備えている。すなわち、鏡Ｍ２の一方の端部は、第１の配管Ｇ１Ｂの端部に接続されているが、当該接続部は可動とされている。そして、鏡可動部Ｈは２カ所（それぞれ鏡可動部Ｈ１，Ｈ２）に設けられており、鏡Ｍ２の他方の端部が当該鏡可動部Ｈに接している。
【０１３７】
本発明の実施の形態におけるリン酸濃度計測部２Ｙにおいては、鏡可動部Ｈとしてネジを利用している。鏡可動部Ｈは、暗箱Ｄを貫通するネジＨａと当該ネジＨａを動かすつま
みＨｂを備えている。また、ネジＨａは、暗箱Ｄ内を水平に移動し、暗箱Ｄ内にあるネジＨａの端部が鏡Ｍ２の他方の端部と接触することで鏡Ｍ２をその位置に固定する。
【０１３８】
リン酸濃度計測部２Ｙでは鏡可動部Ｈが２カ所に設けられており、鏡Ｍ２を、例えば、鏡Ｍ２を実線示す位置、二点鎖線で示す位置となるよう、２つの取り付け角度をもって固定することができる。このように鏡Ｍ２の取り付け角度を変更することで、外乱成分を確認しながら鏡Ｍ２を適切な位置に配置することができる。
【０１３９】
なお、ここでは上述したように鏡可動部Ｈをネジを利用して構成し、２つの取り付け角度をもって固定可能としたが、例えば、鏡Ｍ２の一方の端部における接続部に回転駆動可能とする駆動部を備え、制御部４によって当該駆動部を制御する構成を採用することで、鏡Ｍ２の取り付け角度を任意に設定することができることとしても良い。
【０１４０】
以上説明したように、エッチング処理液として使用されるリン酸溶液内のリン酸濃度をラマンスペクトル法を使用して精度良く計測し適切なリン酸溶液を提供することによって、エッチング処理の精度向上、歩留まりの向上を図るとともに、エッチング処理液の無駄を排除することができる基板処理装置を提供することができる。
【０１４１】
特に、リン酸溶液中のリン酸の濃度をラマンスペクトル法を利用して計測することにより、リン酸の濃度を計測するために生成されたリン酸溶液の温度を下げるという処理を行わずに済むことから、リン酸溶液中に溶解しているシリカの析出を抑えることができる。このようにシリカの析出を抑えることができれば、リン酸溶液が流れる配管が閉塞することやパーティクルが増加することを防止することができる。
【０１４２】
また、リン酸溶液の温度を下げる処理が不要であることから、当該処理を行うための構成を別途採用しなくて済むため、基板処理装置に新たな構成を追加する必要性がない。従って装置構成が簡便となり新たな構成を採用することに伴うコストアップも避けることができる。
【０１４３】
また、リン酸の濃度を計測する対象となるリン酸溶液の温度を下げる処理が不要であるということは、温度変位によるリン酸溶液内の相互溶解の変化を回避できリン酸溶液の組成を担保することができることにつながる。このことは、エッチング処理液のリン酸溶液の処理能力の安定化に寄与し、エッチング処理の精度向上、歩留まりの向上を図ることができる。
【０１４４】
さらに、リン酸溶液中のリン酸の濃度を計測するリン酸濃度計測部として、ラマンスペクトル法による濃度計測に必要な構成のみならず、計測する対象となるリン酸溶液が流れる箇所の配管を含め暗箱で覆う構成を採用している。暗箱で配管を覆うことで、リン酸の濃度を計測する際に使用するレーザ光以外の光が外乱としてラマン分光器に入力されることを防止することができる。これによってより高精度にリン酸の濃度を計測することが可能となる。
【０１４５】
また、暗箱内に鏡をレーザ光が出射する位置であって光軸との角度が鋭角となるように設けることによって、出射したレーザ光が外乱となってラマン分光器に入力されることを防止することができる。これによってより高精度にリン酸の濃度を計測することが可能となる。さらに鏡の取り付け角度を適宜変更することができるように構成することで、外乱となる光の種類に応じて適切に当該光を逃がすことができる。このため、不要な光がラマン分光器に入らないので、精度良くリン酸の濃度を計測することができる。
【０１４６】
そして、ラマンスペクトル法を用いたリン酸の濃度の計測をより高精度に行うべく、ポ
リプロピレンを用いてリン酸溶液が流れる配管を形成する。配管の材料としてポリプロピレンを採用することで、これまでのようなテフロン（登録商標）系の材料と異なり、リン酸溶液のラマンスペクトルをより良く把握することが可能となる。また、ポリプロピレンは高温への耐性があることから、リン酸の濃度を計測するに当たってリン酸溶液の温度を下げる処理が不要となるため、上述したような不具合の発生を抑えることができる。
【０１４７】
なお、これまではラマンスペクトル法を利用して、リン酸溶液にレーザ光を照射し、その散乱光をラマン分光器にて分光し、計測制御部にて解析を行うことで、リン酸の濃度を算出する例を挙げて説明した。具体的には、振動数４９０［ｃｍ−１］と９１０［ｃｍ−１］との相対散乱強度とリン酸の濃度との関係を用いてラマンスペクトルからリン酸の濃度を算出した。
【０１４８】
これに対して、同じくラマンスペクトル法を採用しつつも別の方法でリン酸溶液中のリン酸の濃度を計測する方法が考えられる。具体的には、振動数４９０［ｃｍ−１］と９１０［ｃｍ−１］との相対散乱強度における、ラマンスペクトルのピークとリン酸の濃度との関係を基にリン酸の濃度を算出する方法である。
【０１４９】
図１６は、実施形態に係るリン酸の濃度とラマンスペクトルとの関係を示すグラフである。図１６に示すグラフにおいて、横軸はリン酸の濃度を示している。これはこれまで説明した相対散乱強度との関係で示した、例えば、図７に示すグラフと同じである。一方、縦軸については図７と図１６とでは異なり、図１６においては、振動数４９０［ｃｍ−１］と９１０［ｃｍ−１］との相対散乱強度における、ラマンスペクトルのピークを示している。
【０１５０】
発明者が行ったこれまでの実験によれば、相対散乱強度を示すラマンスペクトルのピーク値は、リン酸の濃度が低ければそれだけ振動数は低くなり、反対にリン酸の濃度が高ければそれだけ振動数は高くなる傾向が把握できている。そこで、縦軸にラマンスペクトルのピーク値を示してその時のリン酸の濃度をプロットすると、図１６に示すグラフのように表わすことができる。
【０１５１】
すなわち、図１６に示すように、相対散乱強度を示すラマンスペクトルのピーク値とリン酸の濃度とは破線で示す１次の直線で近似でき、決定係数Ｒ２も０．９８３との値が示されていることから、両者には良好な相関関係が存在するものと考えられる。すなわち、振動数４９０［ｃｍ−１］と９１０［ｃｍ−１］との相対散乱強度を示すラマンスペクトルのピーク値が把握できれば、リン酸の濃度も算出することができることになる。
【０１５２】
従って、さらに振動数４９０［ｃｍ−１］と９１０［ｃｍ−１］との相対散乱強度を示すラマンスペクトルのピーク値とリン酸の濃度との関係を利用してリン酸溶液中のリン酸の濃度を算出すれば、エッチング処理液として使用されるリン酸溶液内のリン酸濃度をラマンスペクトル法を使用し、精度良く計測し適切なリン酸溶液を提供することによって、エッチング処理の精度向上、歩留まりの向上を図るとともに、エッチング処理液の無駄を排除することができる基板処理装置を提供することができる。
【０１５３】
本発明の実施形態を説明したが、この実施形態は、例として提示したものであり、発明の範囲を限定することを意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【０１５４】
１    リン酸溶液浴槽
２    リン酸濃度計測部
３    処置部
４    制御部
１１    リン酸供給部
１２    純水供給部
１３    リン酸溶液加熱部
１４    送液部
１５    リン酸溶液回収部
２１    レーザ照射部
２２    プローブ
２３    ラマン分光器
２４    計測制御部
Ｓ    基板処理装置
【図１】
2015195270.tif 000003
【図２】
2015195270.tif 000004
【図３】
2015195270.tif 000005
【図４】
2015195270.tif 000006
【図５】
2015195270.tif 000007
【図６】
2015195270.tif 000008
【図７】
2015195270.tif 000009
【図８】
2015195270.tif 000010
【図９】
2015195270.tif 000011
【図１０】
2015195270.tif 000012
【図１１】
2015195270.tif 000013
【図１２】
2015195270.tif 000014
【図１３】
2015195270.tif 000015
【図１４】
2015195270.tif 000016
【図１５】
2015195270.tif 000017
【図１６】
2015195270.tif 000018